(57)【要約】【課題】小径で十分な高周波数帯域の音量を得ることのできるツイータユニット、及び該ツイータユニットを用いたイヤホンを提供すること。【解決手段】圧電素子、ＭＥＭＳによって振動板２１を振動させ、反射材２５によって音響を反射させて放音軸方向に向ける。振動板２１を放音軸に対して傾斜させることで、高音の音量を大きくすることができる。かかるツイータユニット２を提供する。また、ツイータユニット２とウーハユニット３とを用いるイヤホンを提供する。【選択図】図２
2018007220.tif 000002
【特許請求の範囲】
【請求項１】
放音軸方向に音響を放出するための放音孔を一端に有する筒状の本体と、
振動板に圧電素子が貼付され前記本体内に配されたツイータと、
前記ツイータの発する音響を前記放音孔に向けて反射する反射材とを備え、
前記振動板の面積をＳ１とし、前記本体の内部空間の前記放音軸に垂直な断面であって該断面内に前記振動板が存するもののうち最も前記放音孔に近い断面の断面積をＳ２とするとき、Ｓ１≧（√２）Ｓ２であることを特徴とする、ツイータユニット。
【請求項２】
前記本体は、前記放音軸の方向を軸方向とする柱状のパイプであることを特徴とする、請求項１に記載のツイータユニット。
【請求項３】
前記反射材は、前記本体の内部空間に面した平面状の部材であり、
前記平面の法線方向は、前記振動板の法線と前記放音軸とのなす角の２等分線の方向と略等しいことを特徴とする、請求項１又は２に記載のツイータユニット。
【請求項４】
前記反射材は、前記本体の内部空間に面した回転放物面形状の部材であり、
前記回転放物面は、
回転軸が前記振動板の法線方向であり、
焦点が前記放音孔の中心位置又は該位置から前記放音軸に沿って前記本体の外側に離間した位置にあることを特徴とする、請求項１又は２に記載のツイータユニット。
【請求項５】
前記本体の内部空間の壁面が前記反射材を構成することを特徴とする、請求項１〜４のいずれか１項に記載のツイータユニット。
【請求項６】
前記振動板の法線が、前記放音軸に対して４５度以上傾斜していることを特徴とする、請求項１〜５のいずれか１項に記載のツイータユニット。
【請求項７】
請求項１〜６のいずれか１項に記載のツイータユニットと、
ウーハユニットとを備えることを特徴とする、イヤホン。
【請求項８】
導音軸に沿って耳に音響を伝達するためのイヤホンプラグを備え、
前記ツイータユニットと前記ウーハユニットとが、前記導音軸に向けて並列に配されていることを特徴とする、請求項７に記載のイヤホン、
【請求項９】
導音軸に沿って耳に音響を伝達するためのイヤホンプラグを備え、
前記ツイータユニットと前記ウーハユニットとが、前記導音軸に向けて直列に配され、
前記ウーハユニットの放出音が前記ツイータユニットの前記本体の前記放音孔に対抗する孔から前記本体の内部空間に伝達され、前記放音孔から放出されることを特徴とする、請求項７に記載のイヤホン、
【請求項１０】
前記ウーハユニットは、バランストアーマチャ型のウーハを備えることを特徴とする、請求項７〜９のいずれか１項に記載のイヤホン。
【発明の詳細な説明】
【技術分野】
【０００１】
本発明は、イヤホンに用いられるツイータユニット、及び、該ツイータユニットを用いたイヤホンに関する。
【背景技術】
【０００２】
近年、高いサンプリング周波数のデジタルオーディオデータが普及している。これに伴い、スピーカのみならずイヤホンにおいても、高周波数帯域の音質を向上させたイヤホンが現われている。
【０００３】
イヤホンにおける高周波数帯域の音質向上は、容易でない。バランスドアーマチュア方式のドライバを用いた構造はイヤホンの小型軽量化に貢献しているが、周波数の帯域幅に限界があるため、例えば低域周波数用と高域周波数用など複数のドライバを必要としてイヤホン内部の構造が複雑になり高価になってしまう。また、ダイナミック型ドライバを用いたイヤホンは、振動板の面積が音量を定め、振動板をイヤホンから耳に向かう導音軸に垂直に配するため、イヤープラグの直径が制約されるイヤホンでは十分な音量を得ることができない。
【０００４】
昨今では、例えば特許文献１に開示されたような、高周波数帯域の再生に優れた圧電方式のドライバを用いたイヤホンが見受けられるようになった。しかし、圧電方式のドライバにおいても、音量が圧電素子の貼付される振動板の面積によって定まるため、イヤープラグの直径が制約されるイヤホンでは十分な音量を得ることができない。
【先行技術文献】
【特許文献】
【０００５】
【特許文献１】実用新案登録３１９８４７５号公報
【発明の概要】
【発明が解決しようとする課題】
【０００６】
本発明は、小径で十分な高周波数帯域の音量を得ることのできるツイータユニット、及び該ツイータユニットを用いたイヤホンを提供することを課題とする。ここで、「ツイータユニット」は、電気信号に基づいて高周波数帯域の音響を発生する部材を言う。
【課題を解決するための手段】
【０００７】
本発明のツイータユニットは、
放音軸方向に音響を放出するための放音孔を一端に有する筒状の本体と、
振動板に圧電素子が貼付され前記本体内に配されたツイータと、
前記ツイータの発する音響を前記放音孔に向けて反射する反射材とを備え、
前記振動板の面積をＳ１とし、前記本体の内部空間の前記放音軸に垂直な断面であって該断面内に前記振動板が存するもののうち最も前記放音孔に近い断面の断面積をＳ２とするとき、Ｓ１≧（√２）Ｓ２であることを特徴とする。
【０００８】
この特徴によれば、反射材の効果によって振動板を放音軸方向に垂直な方向以外の方向に向けることができ、振動板の形状が筒状の本体の断面形状に制約されることがなくなる。従来はＳ２以下の面積であった振動板の面積をＳ１にまで増加させて音量を得ることができる。Ｓ１の値が大きいことが好ましいが、Ｓ１≧（√２）Ｓ２であるとする。従来方式に比べて（√２）倍以上の音量を得ることができる、（√２）倍以上としたのは、四角柱上の本体において振動板を放音軸に対して４５度以上に傾斜させることを原則とするためである。
【０００９】
本発明のツイータユニットは、
前記本体は、前記放音軸の方向を軸方向とする柱状のパイプであることを特徴とする。
【００１０】
この特徴によれば、従来方式と同様の柱状のパイプにおいて、本発明を適用することができる。
【００１１】
本発明のツイータユニットは、
前記反射材は、前記本体の内部空間に面した平面状の部材であり、
前記平面の法線方向は、前記振動板の法線と前記放音軸とのなす角の２等分線の方向と略等しいことを特徴とする。
【００１２】
この特徴によれば、反射板によって反射された音響が、放音軸の方向に向かって放出される。
【００１３】
本発明のツイータユニットは、
前記反射材は、前記本体の内部空間に面した回転放物面形状の部材であり、
前記回転放物面は、
回転軸が前記振動板の法線方向であり、
焦点が前記放音孔の中心位置又は該位置から前記放音軸に沿って前記本体の外側に離間した位置にあることを特徴とする。
【００１４】
この特徴によれば、反射板によって反射された音響が、焦点に集中する。焦点をイヤホンの鼓膜側に配すれば、反射板によって反射された音響を鼓膜に向けて放出することができる。
【００１５】
本発明のツイータユニットは、
前記本体の内部空間の壁面が前記反射材を構成することを特徴とする。
【００１６】
この特徴によれば、本体によって反射し、別途の反射材を設けずにツイータユニットが構成される。
【００１７】
本発明のツイータユニットは、
前記振動板の法線が、前記放音軸に対して４５度以上傾斜していることを特徴とする。
【００１８】
この特徴によれば、筒状の本体の筒長を活用して振動版の面積を大きくすることができる。本体が四角柱状であるとすると、振動板を放音軸に対して垂直に設ける場合に比して（√２）倍以上（＝１/sin(45度) 以上）の面積となる。
【００１９】
本発明のイヤホンは、
本発明のツイータユニットと、
ウーハユニットとを備えることを特徴とする。
【００２０】
この特徴によれば、本発明のツイータユニットを活用したイヤホンが提供される。
【００２１】
本発明のイヤホンは、
導音軸に沿って耳に音響を伝達するためのイヤホンプラグを備え、
前記ツイータユニットと前記ウーハユニットとが、前記導音軸に向けて並列に配されていることを特徴とする。
【００２２】
この特徴によれば、ツイータユニットとウーハユニットとの音響を共に導音軸に沿って放出することができる。
【００２３】
本発明のイヤホンは、
音響を伝達するためのイヤホンプラグを備え、
前記ツイータユニットと前記ウーハユニットとが、前記導音軸に向けて直列に配され、
前記ウーハユニットの放出音が前記ツイータユニットの前記本体の前記放音孔に対抗する孔から前記本体の内部空間に伝達され、前記放音孔から放出されることを特徴とする。
【００２４】
この特徴によっても、ツイータユニットとウーハユニットとの音響を共に導音軸に沿って放出することができる。ツイータユニットとウーハユニットとが直列に配されるので、イヤホンの外径を小さくすることができる。
【００２５】
本発明のイヤホンは、
前記ウーハユニットは、バランストアーマチャ型のウーハを備えることを特徴とする。
【００２６】
この特徴によれば、小径のバランストアーマチャ型のウーハによってイヤホンの外径を小さくすることができる。
【発明の効果】
【００２７】
本発明のツイータユニットによれば、小径でありながら、高音量のツイータユニットが提供される。
【００２８】
また、本発明のイヤホンによれば、小径でありながら、高周波数帯域の音量が大きく、良好な周波数特性のイヤホンが提供される。
【図面の簡単な説明】
【００２９】
【図１】図１は、従来のイヤホンの構成を示す図である。
【図２】図２は、ツイータユニットの構成例を示す図である。（実施例１）
【図３】図３は、ツイータユニットの構成例を示す図である。（実施例２）
【図４】図４は、ツイータユニットの構成例を示す図である。（実施例３）
【図５】図５は、ツイータユニットの構成例を示す図である。（実施例４）
【図６】図６は、ツイータユニットの構成例を示す図である。（実施例５）
【図７】図７は、イヤホンの構成例を示す図である。（実施例６）
【図８】図８は、ツイータの例を示す図である。（実施例６）
【図９】図９は、周波数特性を示す図である。（実施例６）
【図１０】図１０は、イヤホンの構成例を示す図である。（実施例７）
【図１１】図１１は、周波数特性を示す図である。（実施例７）
【図１２】図１２は、イヤホンの構成例を示す図である。（実施例８）
【図１３】図１３は、周波数特性を示す図である。（実施例８）
【発明を実施するための形態】
【００３０】
図１は、従来のイヤホンの構成を示す図である。イヤホン１は、筐体１１内にウーハ２１及びツイータ３１が設けられている。ウーハ２１及びツイータ３１は任意に設計できるが、ウーハ２１はダイナミック方式、ツイータ３１は電磁方式であるとして説明する。
【００３１】
ウーハ２１及びツイータ３１は、図中白矢印で示す方向に振動して空気中の疎密波を生成し、図中黒矢印で示す方向に音響を放出する。ここで、ツイータ３１の音量は振動板の面積に比例するが、筐体１１の内径Ｒをあまり大きくすることができず、振動板の面積は小さくなってしまう。ツイータ（高周波数帯域）の音量が小さくなり、イヤホン全体の周波数特性は高域の減衰したものとなってしまう。
【００３２】
以下、本発明のツイータユニットの原理を説明する。実施例１〜５は、ツイータユニットを示すものである。
【実施例１】
【００３３】
図２は、ツイータユニットの構成例を示す図である。図２（Ａ）にツイータユニット２の構成を斜視図で示す。ツイータユニット２は、振動板２１、筐体２２を備え、筐体２２には、放音孔２３及び調整孔２４が設けられている。
【００３４】
振動板２１は、支持部２１ａによって支持され、圧電素子（非図示）が貼付され、圧電素子に付加される電圧に基づいて振動する。振動板及び圧電素子の構成は、振動板の片面に圧電素子を有するユニモルフ型であっても、振動板の両面に片面に圧電素子を有するバイモルフ型であってもよい。
【００３５】
筐体２２は、断面長方形の四角柱形状のパイプである。
【００３６】
放音孔２３は、振動によって発生する空気の疎密波（音響）の放出口である。音響は、放音孔２３から図中黒矢印方向に放出される。黒矢印方向は、四角柱状の筐体２２の柱の軸方向（以下「放音軸方向」と言う。）と厳密には一致しないが、略同方向である。
【００３７】
調整孔２４は、振動板２１の振動によって発生する振動板２１の表裏側の気圧差を発生させないためのものである。
【００３８】
図２（Ｂ）に、ツイータユニット２の断面図（図２（Ａ）において一点鎖線で示した平面Ｓのおける断面図）を示す。振動板２１の振動によって発生する音響は、図中細矢印で示すように筐体２２の一面（図２（Ａ）における左手前の面）である反射材２５によって反射され、場合によっては更に振動板２１によって反射されて、放音孔２３から放出される。振動板２１は、その法線方向が、従来技術の放音軸に垂直な方向に対し、θだけ傾斜している。
【００３９】
振動板２１は、導音軸２６に垂直な方向に対し、角度θだけ傾斜している。振動板２１の面積をＳ１とし、導音軸２６に垂直な方向に対し傾斜していない従来技術の場合の仮想的な振動板２１ｘの面積（筐体２２の放音軸に垂直な断面の断面積）をＳ２とするとき、Ｓ１／Ｓ２＝ｓｉｎθとなる。θ＝４５度とすると、Ｓ１／Ｓ２＝√２である。θ＞４５度とすれば、Ｓ１／Ｓ２＞√２となる。Ｓ１／Ｓ２の値によって、従来技術に対する振動板２１の面積の増加割合を評価することができる。
【００４０】
ここで、仮想的な振動板２１ｘは、図面左右方向に移動し得る。本実施例では筐体２２が柱状なので仮想的な振動板２１ｘの面積Ｓ２は、図面左右方向に移動しても変化しない。しかし、筐体が柱状でない場合には、仮想的な振動板２１ｘの面積Ｓ２が変化するので、Ｓ１／Ｓ２の値もまた変化することとなり、従来技術に対する振動板２１の面積の増加割合を評価することが容易でないとも思われる。しかし、仮想的な振動板２１ｘの位置（筐体２２の放音軸に垂直な断面）は振動板２１の最も前記放音孔に部位位置としてよい。耳に向けて音響を伝達するため、従来技術においては、振動板をできる限り放音孔に近づけるためである。本実施例は、振動板２１について、仮想的な振動板２１ｘを放音孔２３と額方向に延伸したものである。これにより、仮想的な振動板２１ｘの面積Ｓ２は、振動板２１の最も前記放音孔に部位位置における筐体２２の放音軸に垂直な断面の断面積として定義することができる。
【００４１】
以上、ツイータユニット２のみについて説明したが、他にウーハを設けてイヤホンを構成することができる。本発明は高周波数領域の音量を（及びそれに基づいて周波数特性を）改善するものであり、改善の原理はツイータユニット２によるものである。以下、実施例２〜５においてもツイータユニット２のみを説明する。
【００４２】
以上詳細に説明したように、本実施例のツイータユニットによれば、圧電素子を用いたツイータの振動版の面積を大きくすることができ、高周波数領域の音量を大きくすることができる。
【実施例２】
【００４３】
本実施例は、実施例１とは異なる振動板２１及び反射材２５の配置を示すものである。実施例１と同様の部分については、詳細な説明を省略する。
【００４４】
図３は、ツイータユニットの構成例を示す図である。図３（Ａ）にツイータユニット２の構成を斜視図で示す。ツイータユニット２は、振動板２１、筐体２２を備え、筐体２２には、放音孔２３が設けられている。
【００４５】
実施例１と相違し、調整孔２４は設けられていない。振動板２１が筐体２２内の空間を分離しないので、振動板２１の裏側の気圧を考慮する必要がないためである。
【００４６】
振動板２１は、筐体２２の側面に設けられている。実施例１においてθ＝９０度とする場合の位置に設けられていることになる。筐体２２の長さ（図における「左右方向）を設計し、Ｓ１の値を任意に大きくできる。すなわち、Ｓ１／Ｓ２の値も任意に大きくできることとなる。
【００４７】
図３（Ｂ）に、ツイータユニット２の断面図（図３（Ａ）において一点鎖線で示した平面Ｓにおける断面図）を示す。振動板２１の振動によって発生する音響は、図中矢印で示すように筐体２２の一面（振動板２１に対向する面）である反射材２５によって反射され、場合によっては更に振動板２１によって反射されて、放音孔２３から放出される。
【００４８】
振動板２１が筐体２２の側面に設けられ、音響が放音軸に垂直に発せられる。このため、音響を放音孔２３に向けるために、筐体２２の一面である反射材２５は、放音軸に対してφだけ傾斜している。実施例１においてはφ＝９０度であったが、本実施例ではφ＜９０度である。
【００４９】
以上詳細に説明したように、本実施例のツイータユニットによれば、圧電素子を用いたツイータの振動版の面積を設計の応じて任意の値まで大きくすることができ、高周波数領域の音量を大きくすることができる。
【実施例３】
【００５０】
本実施例は、実施例１及び２における、振動板２１及び反射材２５の配置を組み合わせてものである。実施例１及び２と同様の部分については、詳細な説明を省略する。
【００５１】
図４は、ツイータユニットの構成例を示す図である。断面図であり、図２（Ｂ）及び図３（Ｂ）に示したもの同様の図である。実施例１において示したように振動板２１がθだけ傾斜し、反射材２５がφだけ傾斜している。
【００５２】
図に示すとおり、振動板２１及び反射材２５の双方が傾斜していることが、反射材２５によって反射された音響を、正確に放音軸方向に向ける効果を有する。反射材２５の面の法線方向が、振動板２１の法線と放音軸とのなす角の２等分線の方向に等しければ、反射音は、正確に放音軸の方向に放出される。φ＝９０度−θ／２、の関係とすればよい。図は、θ＝φ＝６０度としたものである。
【００５３】
実施例１においてθ＝４５度とすること、実施例２においてφ＝４５度とすることによっても、反射材２５によって反射された音響を正確に放音軸方向に向けることが可能ではある。しかし、本実施例のように、振動板２１及び反射材２５の双方を傾斜させることで、ツイータユニット２の径をあまり大きくせずに反射材２５によって反射された音響を正確に放音軸方向に向けることができる。
【００５４】
以上詳細に説明したように、本実施例のツイータユニットによれば、ツイータユニット２の径をあまり大きくせずに反射材２５によって反射された音響を正確に放音軸方向に向けることができる。
【実施例４】
【００５５】
本実施例は、実施例２において反射材２５の形状を相違させるものである。実施例２と同様の部分については、詳細な説明を省略する。
【００５６】
図５は、ツイータユニットの構成例を示す図である。図５（Ａ）にツイータユニット２の構成を斜視図で示す。反射材２５は、実施例２と相違して曲面形状を有している。
【００５７】
図５（Ｂ）に、ツイータユニット２の断面図（図５（Ａ）において一点鎖線で示した平面Ｓにおける断面図）を示す。反射材２５の曲面形状は、放音孔２３の中心位置から放音軸に沿って筐体２２の外側に距離Ｄだけ離間した位置にある点２５Ｆを焦点とする回転放物面形状である。回転軸は、図中Ｐで示すように、焦点２５Ｆを通り、振動板２１の法線方向の直線である。
【００５８】
距離Ｄは、放音孔２３から鼓膜までの距離とするとよい。ただし、Ｄ≧０であれば任意に設計してよい。
【００５９】
振動板２１から発せられ、反射材２５によって反射された音響は、すべて、焦点２５Ｆを通る。焦点２５Ｆにおいて、高周波数帯域の音量が最大となる。
【００６０】
以上詳細に説明したように、本実施例のツイータユニットによれば、反射材２５によって反射された音響を焦点２５Ｆに集中させて、高周波数帯域の音量を大きくすることができる。
【実施例５】
【００６１】
本実施例は、実施例１において筐体２２の形状を相違させるものである。実施例１と同様の部分については、詳細な説明を省略する。
【００６２】
図６は、ツイータユニットの構成例を示す図である。図６（Ａ）にツイータユニット２の構成を斜視図で示す。筐体２２は、実施例１と相違して断面半円形状を有している。
【００６３】
振動板２１は孔部２１ｂを有し、孔部２１ｂを覆うようにＭＥＭＳ素子２１ｃ（例えばシリコンウェハ上にＰＺＴ薄膜を成膜して白金薄膜で電圧印加するように構成したもの）は付されている。孔部２１ｂはＭＥＭＳ素子２１ｃによって完全には覆われておらず、図に示すように、ＭＥＭＳ素子２１ｃの両脇に細い隙間が構成されている。
【００６４】
実施例１〜４においても、圧電素子に替えて、このようにＭＥＭＳ素子を用いてツイータを構成してもよい。
【００６５】
以上詳細に説明したように、本実施例のツイータユニットによれば、断面半円形状の筐体２２を有するツイータユニット２によって、実施例１のツイータユニットと同様の効果を得ることができる。断面半円形状とすることの効果については、実施例８に示す。
【００６６】
以下、本発明の実施例をイヤホンについて説明する。イヤホンは、耳に挿入される筐体（「イヤープラグ」とも言う。）の中に、ツイータユニットとウーハユニットとを備える。ツイータユニットは、実施例１〜５に示した本発明のツイータユニットを使用する。ウーハユニットは、ダイナミック型、バランストアーマチャ型、その他広く用いられるものを使用すればよい。
【実施例６】
【００６７】
図７は、イヤホンの構成例を示す図である。図７（Ａ）に、ツイータユニット２とウーハユニット３の構成を斜視図で示す。ツイータユニット２は、実施例１に示したものである。ウーハユニット３はウーハ３１（非図示）を筐体３２内に備え、放音孔３３から音響を放出する。
【００６８】
ツイータユニット２は、5.9ｍｍ×4ｍｍ×0.05ｍｍのチタン合金である振動板２１に、１層の厚みが14μｍの圧電シートを５層積層した積層型の圧電素子を接着したツイータを用いる。圧電素子の寸法は5.5ｍｍ×3.8ｍｍ×0.075ｍｍである。
【００６９】
図８は、ツイータの例を示す図である。振動板２１は、支持部２１ａによって、図８（Ａ）に示すように支持され、圧電素子２１ｄの振動により、屈曲振動する。なお、図８（Ｂ）（Ｃ）のように支持してもよい。振動板と圧電素子構造についても、屈曲振動を発生するのであれば、任意に設計してよい。屈曲振動により、音響（空気の疎密波）が振動板２１の法線方向に放射される。
【００７０】
ウーハユニット３は、外形寸法が5.6ｍｍ×4.3ｍｍ×2.8ｍｍ、再生周波数帯域が20〜20000Hzの、バランストアーマチャ型のものである。
【００７１】
図７（Ｂ）にイヤホン１の断面図を示す。導音軸（図面左右方向）に沿って、ツイータユニット２とウーハユニット３とが並列されている。この構造でイヤホンの筐体１１の径を小さくするため、ウーハユニット３は、小径のバランストアーマチャ型であることが好ましい。
【００７２】
図９は、周波数特性を示す図である。ホワイトノイズを発生させ、出力音の周波数特性を測定した。図中、実線４１は本実施例のもの、破線４２はツイータユニットに信号を入れず、従来技術と同様に測定したものである。実線４１は、高周波数帯域の音量が保たれている。
【００７３】
以上詳細に説明したように、本実施例のイヤホンによれば、振動板２１の面積を大きくすることができ、高周波数帯域の音量が保たれ、良好な周波数特性を得ることができる。
【実施例７】
【００７４】
本実施例は、実施例６における、ツイータユニット２を、実施例２に示したものに替えるものである。実施例６と同様の部分については、詳細な説明を省略する。
【００７５】
図１０は、イヤホンの構成例を示す図である。図１０（Ａ）に、ツイータユニット２とウーハユニット３の構成を斜視図で示す。図１０（Ｂ）にイヤホン１の断面図を示す。ツイータユニット２が、実施例２に示したものである点を除き、実施例６と同様である。
【００７６】
図１１は、周波数特性を示す図である。出力音の周波数特性を測定した。図中、実線４１は本実施例のもの、破線４２はツイータユニット３の振動板を放音軸に垂直にしたもの（振動板２１に替えて図２（Ｂ）における仮想振動板２１ｘを用いたもの）である。高周波数帯域の音量が保たれている。
【００７７】
実施例６と比較すると、高周波数帯域の音量がさらに大きく保たれている。振動板２１の面積が実施例６よりも小さいにもかかわらず高周波数帯域の音量が大きいのは、反射された音響の方向が放音軸に近いためと考えられる。また、振動板２１の裏側（圧電素子のない側）の空気バネに影響の減少も考えられる。
【００７８】
以上詳細に説明したように、本実施例のイヤホンによれば、振動板２１の面積を大きくすることができ、実施例６と比較して、さらに高周波数帯域の音量が保たれ、良好な周波数特性を得ることができる。
【実施例８】
【００７９】
本実施例は、実施例５のツイータユニット２を用い、実施例６及び７とは異なる箇所にツイータユニット２及びウーハユニット３を配するものである。実施例６及び７と同様の部分については、詳細な説明を省略する。
【００８０】
図１２は、イヤホンの構成例を示す図である。図１２（Ａ）に、ツイータユニット２とウーハユニット３の構成を断面図で示す。ツイータユニット２は、実施例５に示したものである。ウーハユニット３はダイナミック型のものである。
【００８１】
ツイータユニット２は、直径4.0mm、長さ5.0mmの半円柱形状である。ＭＥＭＳ素子２１ｃは外形寸法2.8ｍｍ×1.3ｍｍ×0.012ｍｍのシリコンウェハ上に２μｍのＰＺＴ薄膜を成膜して白金薄膜で電圧印加するように構成した。孔部２１ｂは、2.5ｍｍ×1.6ｍｍの寸法である。ＭＥＭＳ素子２１ｃの両脇の細い隙間の幅は0.15mmとなる。
【００８２】
ウーハユニット３は径5.8mmのダイナミック型のものである。本実施例では、ウーハユニット３がツイータユニット２と導音軸に向けて並列に配されていないので、実施例６及び７よりもウーハユニット３の径を大きくすることができる。ダイナミック型のものを採用することができる。
【００８３】
ツイータユニット２が半円柱形状であるので、イヤホンの筐体１１のイヤープラグ部分１１ａの半分の容積に収容される。残り半分を、ウーハユニット３からの音響の通路とできる。
【００８４】
図１２（Ｂ）に、イヤホンを導音軸（耳の側）から見た状態を示す。図の上方から高音が、下方から低音が、それぞれ放出される。
【００８５】
図１３は、周波数特性を示す図である。ホワイトノイズを発生させ、出力音の周波数特性を測定した。図中、実線４１は本実施例のもの、破線４２はツイータユニット３の振動板を放音軸に垂直にしたものである。実施例６及び７と同様に（厳密にはやや強く）、高周波数帯域の音量が保たれている。また、ウーハユニットをダイナミック型としたことで、低周波数帯域の音量が十分にある。
【００８６】
以上詳細に説明したように、本実施例のイヤホンによれば、ダイナミック型のウーハを用いて、高周波数帯域の音量が保たれ良好な周波数特性をイヤホンを得ることができる。
【産業上の利用可能性】
【００８７】
小径で十分な高周波数帯域の音量を得ることのできるツイータユニット、及び該ツイータユニットを用いたイヤホンである。多くの、イヤホン生産者による利用が考えられる。
【符号の説明】
【００８８】
１        イヤホン
１１      筐体（イヤホン）
２        ツイータユニット
２１      振動板
２１ａ    支持部
２１ｂ    孔部
２１ｃ    ＭＥＭＳ素子
２１ｄ    圧電素子
２２      筐体（ツイータユニット本体）
２３      放音孔
２４      調整孔
２５      反射材
３        ウーハユニット
３１      ウーハ
３２      筐体（ウーハユニット）
３３      放音孔（ウーハ）
【図１】
2018007220.tif 000003
【図２】
2018007220.tif 000004
【図３】
2018007220.tif 000005
【図４】
2018007220.tif 000006
【図５】
2018007220.tif 000007
【図６】
2018007220.tif 000008
【図７】
2018007220.tif 000009
【図８】
2018007220.tif 000010
【図９】
2018007220.tif 000011
【図１０】
2018007220.tif 000012
【図１１】
2018007220.tif 000013
【図１２】
2018007220.tif 000014
【図１３】
2018007220.tif 000015